(57)【要約】【課題】計量データと設置環境データとを容易に一元管理できる計量装置専用のデータロガーを提供し、更には、該周辺機器を通じて、設置環境がいかに計量値に影響を与えているかを計量の現場でリアルタイムでユーザが認識することができる計量装置用データロガーを提供する。【解決手段】計量装置用データロガーに、計量装置100が設置された環境の物理量を検出する環境センサとして、温度32、湿度33、気圧24、加速度25のセンサの何れかと、環境センサで検出した設置環境データと計量装置100で検出された計量データとを、時間を基本にして記録するデータ記録手段26と、設置環境データ及び計量データを、全部又は選択的に、時間軸を一致させて数値或いは経時変化グラフで表示するデータ処理手段27とを、構造内に備え、外部機器と信号の授受を行う一以上の外部機器用端子コネクタ23を備えた。【選択図】図１
2013065174.tif 000002
【特許請求の範囲】
【請求項１】
被計量物の質量を計量する計量装置に対して用いられ、
前記計量装置が設置された環境の物理量を検出する環境センサとして、温度、湿度、気圧、加速度のセンサの何れかと、
前記環境センサで検出した設置環境データと前記計量装置で検出された計量データとを、時間を基本にして記録するデータ記録手段と、
記録した前記設置環境データ及び計量データを、全部又は選択的に、時間軸を一致させて数値或いは経時変化グラフで表示するデータ処理手段とを、自身の構造内に備え、
前記計量装置等の外部機器と信号の授受を行う一以上の外部機器用端子コネクタを備えることを特徴とする計量装置用データロガー。
【請求項２】
前記環境センサのうちの湿度センサ及び温度センサは、他の環境センサ、前記データ記録手段及び前記データ処理手段を内蔵する前記データロガー本体から装着脱可能に構成された温湿度センサユニットとして構成されるとともに、前記データロガー本体にデータを送るための温湿度データ出力用端子を備えることを特徴とする請求項１に記載の計量装置用データロガー。
【請求項３】
前記温湿度データ出力用端子を前記データロガー本体の温湿度端子用コネクタに接続することで、前記温湿度データ出力用端子が気密となるとともに、前記温湿度センサユニットが前記データロガー本体に外観一体化するよう構成されたことを特徴とする請求項２に記載の計量装置用データロガー。
【請求項４】
前記温湿度センサユニットのケースは、前記湿度センサ配置位置上に防水透湿性素材のフィルタを配置し、該防水透湿性フィルタが外部大気に露呈した状態で、前記温湿度センサを完全密閉する防水・防塵構造に形成され、
前記データロガー本体のケースは、前記他の環境センサ、前記データ記録手段及び前記データ処理手段を完全密閉する防水・防塵構造に形成され、かつ前記外部機器用端子コネクタには、該コネクタ部を密閉する防水キャップが装着されるように構成されたことを特徴とする請求項２又は３に記載の計量装置用データロガー。
【発明の詳細な説明】
【技術分野】
【０００１】
本発明は、電子天秤等の計量装置用データロガーに係り、特に、計量値と計量装置の設置環境データとを管理する計量装置用データロガーに関する。
【背景技術】
【０００２】
従来より、電子天秤等の計量装置を使用する研究室や生産現場では、計量値と並行して、計量装置の性能を左右する設置環境条件（温度・湿度・気圧等）をモニター（経時記録）することが一般的に行われている。この際、データ解析時のデータ処理自由度の要望から、計量データ、設置環境データをデジタルで記録できるデータロガーが用いられることが多い。例えば、計量データに関しては、計量データを計量装置から受け取り、数値をデジタルで記録し、ＵＳＢ端子を介してパーソナルコンピュータ（以下、ＰＣ）に出力可能とするデジタル式計量データロガー（特許文献１）が、設置環境データに関しては、各環境計測機器から環境データを受け取り、数値をデジタルで記録し、係る環境データを自身の表示部に表示可能なデジタル式環境データロガー（特許文献２）等がある。
【先行技術文献】
【特許文献】
【０００３】
【特許文献１】特開２０１１−８５７２（段落００２７〜００２８、図１等）
【特許文献２】特開２００９−２５７９２７（段落０００２、０００８、図１等）
【発明の概要】
【発明が解決しようとする課題】
【０００４】
しかし、計量の現場では、取得した設置環境データと計量データをリンクさせてグラフ化したり、データを数値処理したりするため、異なる機器に記録させた設置環境データと計量データとをいかに一元的に管理するかが問題であった。【０００５】
これに対し、上記特許文献１のデータロガーからは計量データのみが、特許文献２のデータロガーからは設置環境データが得られるだけであるので、これらを一元管理するには、両データを他の機器に転送する面倒が生じる。また、記録媒体としてＰＣを利用すれば、計量データと設置環境データの一元管理は容易となるが、計量装置や環境計測機器の周囲にＰＣを配置する空間を確保したり、専用ソフトをインストールする等の煩雑さが生じる。また、そもそもこの為にＰＣを占有するのは無駄であるし、クリーンルーム等ではＰＣの持込が出来ない、機密保持の為にＵＳＢメモリ等の汎用記録媒体の持込も禁止されているなど、一元管理を実現するには多くの不便さを伴っていた。【０００６】
本発明は、前記従来技術の問題点に鑑みて為されたもので、その目的は、計量データと設置環境データとを容易に一元管理できる計量装置専用のデータロガーを提供し、更には、該周辺機器を通じて、設置環境がいかに計量値に影響を与えているかを計量の現場でリアルタイムでユーザが認識することができる計量装置用データロガーを提供するものである。
【課題を解決するための手段】
【０００７】
前記目的を達成するために、請求項１に係る計量装置用データロガーにおいては、被計量物の質量を計量する計量装置に対して用いられ、前記計量装置が設置された環境の物理量を検出する環境センサとして、温度、湿度、気圧、加速度のセンサの何れかと、前記環境センサで検出した設置環境データと前記計量装置で検出された計量データとを、時間を基本にして記録するデータ記録手段と、記録した前記設置環境データ及び計量データを、全部又は選択的に、時間軸を一致させて数値或いは経時変化グラフで表示するデータ処理手段とを、自身の構造内に備え、前記計量装置等の外部機器と信号の授受を行う一以上の外部機器用端子コネクタを備えることを特徴とする。【０００８】
請求項２においては、請求項１に記載の計量装置用データロガーにおいて、前記環境センサのうちの湿度センサ及び温度センサは、他の環境センサ、前記データ記録手段及び前記データ処理手段を内蔵する前記データロガー本体から装着脱可能に構成された温湿度センサユニットとして構成されるとともに、前記データロガー本体にデータを送るための温湿度データ出力用端子を備えることを特徴とする。【０００９】
請求項３においては、請求項２に記載の計量装置用データロガーにおいて、前記温湿度データ出力用端子を前記データロガー本体の温湿度端子用コネクタに接続することで、前記温湿度データ出力用端子が気密となるとともに、前記温湿度センサユニットが前記データロガー本体に外観一体化するよう構成されたことを特徴とする。【００１０】
請求項４においては、請求項２又は３に記載の計量装置用データロガーにおいて、前記温湿度センサユニットのケースは、前記湿度センサ配置位置上に防水透湿性素材のフィルタを配置し、該防水透湿性フィルタが外部大気に露呈した状態で、前記温湿度センサを完全密閉する防水・防塵構造に形成され、前記データロガー本体のケースは、前記他の環境センサ、前記データ記録手段及び前記データ処理手段を完全密閉する防水・防塵構造に形成され、かつ前記外部機器用端子コネクタには、該コネクタ部を密閉する防水キャップが装着されるように構成されたことを特徴とする。
【発明の効果】
【００１１】
以上より、請求項１に係る発明によれば、計量装置からの計量データをモニタリング（経時記録）しながら、計量結果に影響を及ぼす少なくとも温度、湿度、気圧、振動の環境データも同時にモニタリングし、単一の機器内で、設置環境データと計量データの両者を一元管理、さらには設置環境データと計量データをリンクさせて数値表示、グラフ化できる専用品を提供することで、データ取得、データ一元管理、データ処理（数値表示、グラフ化）のための環境整備に伴うデータ処理に関する面倒が解消する。【００１２】
また、持ち運び自在な専用品であることから、ＰＣを必要としないので、ＰＣの持込が禁止されたエリアや汎用ＵＳＢメモリが持ち込めないエリアなど、従来、データ取得、データ一元管理、データ処理が困難であった計量現場でのユーザの煩いも解消することができる。【００１３】
また、データ処理（数値表示、グラフ化）が計量現場でリアルタイムで可能であり、さらにはユーザの望むデータのみピックアップして選択的に表示することもできるので、環境変化、及び環境変化と計量データの相関が視覚的にユーザに開示され、ユーザは計量中に、装置の性能不良が環境の変化によるものであると即時かつ容易に把握することができる。これにより、ユーザの計量装置への信頼は高まり、また、ユーザ自身で設置環境を整備する為の指針を与えることができる。【００１４】
請求項２に係る発明によれば、種々ある環境センサの中で、感湿体の水分吸収に伴う導電性の変化を利用する測定原理から、他のセンサと比較し特に耐久性の乏しいセンサである湿度センサを、データロガー本体に内蔵せず、装着脱可能な別ユニットとして構成したことで、湿度センサ故障の際には湿度センサユニットだけを交換すればよいので、データロガーのメンテナンスが容易かつ安価に行うことができる。【００１５】
また、計測需要の高い温度センサもユニット化した温湿度センサユニットとすることで、温湿度センサユニットは、データロガー本体と離隔した他のエリアの温湿度環境を計測することができるので、当該ロガーとは別の装置の温湿度観測機器として使用することもできる。【００１６】
請求項３に係る発明によれば、温湿度センサユニットは、データロガー本体に対して外付けする構成ではなく、データロガー本体と外観一体化するように収容されるので、データロガー本体ケースに覆われる分、温湿度センサユニットが人や物と接触しづらく、物理的破損が生じにくい。また、覆われる分温湿度センサユニットに水滴がかかりにくく、液体侵入による故障も生じにくい。【００１７】
請求項４に係る発明によれば、環境計測機器は水回りで使用されることも少なくないため、従来から、防水・防塵構造を取る環境データロガーは存在する。しかし、湿度センサを備える環境データロガーは、湿度センサは感湿体の水分吸収を許容する構成を取る必要があることから、湿度センサだけは、外部大気と直接触れる構造となり、防水・防塵構造とはなっていなかった。そこで、温湿度センサユニットケースのうち外気を通す必要がある部分、即ち湿度センサ位置に防水透湿性素材のフィルタを配置し、該防水透湿性素材のフィルタだけが外気と接し、温度センサ及び湿度センサはケースによって完全密閉するようにしたことで、湿度センサを備えながらも防塵・防水構造を取ることができる。【００１８】
一方、データロガー本体も、外部機器用端子コネクタには防水キャップが取り付けられ、本体ケースは密閉構造として構成されているため、外部機器と接続されている状態以外では、ケース内に塵や液体が侵入することがない。
【発明を実施するための最良の形態】
【００１９】
本発明に係るデータロガー１の構成を図１〜５を用いて説明する。図１はデータロガーの正面図、図２はデータロガーの右側面図、図３はデータロガーの平面図であって、温湿度センサユニット装着状態を示す図、図４は温湿度センサユニットの正面図、図５はデータロガーの背面図であって、温湿度センサユニット脱離状態を示す図である。なお、図４はケース内を透過して示している。【００２０】
図示の計量装置用データロガー１は、計量装置１００に対して用いられ、データロガー本体２０と、該データロガー本体２０に対して装着脱可能な温湿度センサユニット３０とから成っている。【００２１】
データロガー本体２０は、縦８０ｍｍ、横１２０ｍｍ、奥行き３０ｍｍの手のひらサイズで、正面に表示部２１とキイ操作部２２が設けられている。また、右側面中央部には、計量装置１００から計量データを受け取るＲＳ２３２Ｃ用の計量装置用コネクタ２３ａ、外付け水温センサ２００等の外部機器と通信可能な外部機器用コネクタ２３ｂ、ＰＣへデータ転送可能なマスストレージクラスのＵＳＢコネクタ２３ｃの外部機器用端子コネクタ群２３が配置されている。データロガー本体２０の右側面、上面、背面に面した位置には、後述する温湿度センサユニット３０の外形と概略一致する温湿度センサユニット収容凹部２ｄが形成されている。温湿度センサユニット収容凹部２ｄを背面視した際の右側壁には、後述の温湿度データ出力用端子３１と接続可能な温湿度端子用コネクタ２８が設けられている。【００２２】
データロガー本体２０内には、気圧センサ２４、加速度センサ２５及びこれらの関連ＩＣを搭載する電子基板が内蔵されており、気圧変動と振動が検出できる。また、前記電子基板には、内蔵センサ２４，２５で検出した気圧，振動データと、後述の温湿度センサユニット３０で検出した温度，湿度データと、外部の計量装置１００で検出され、計量装置用コネクタ２３ａを介して取り込んだ計量データとを、時間を基本にして記録するデータメモリ（データ記録手段）２６及び該データメモリ２６に記録した温度，湿度，気圧，振動データ及び計量データを、時間軸を一致させて数値或いは経時変化グラフで表示するＣＰＵ（データ処理手段）２７も搭載されている。【００２３】
データロガー本体２０は、表示部２１とキイ操作部２２を備え後方開口する前ケース２ａと、気圧センサ２４，加速度センサ２５，データメモリ２６及びＣＰＵ２７搭載の電子基板を内蔵し前方開口する後ケース２ｂとを、後ケース２ｂと前ケース２ａの接合部にＯリングを介在させた状態で、後ケース２ｂ開口部から展出した係合爪を前ケース２ａ開口部に設けた係合凹部に嵌合すると、ケース２ａ，２ｂが密着し、これによりデータロガー本体２０はＩＰ６５相当の防塵・防水機能を有する構造となっている。外部機器用端子コネクタ群２３は、後述する本体保護カバー４と一体成形された３つの防水キャップ部４ａ，４ｂ，４ｃの装着により、コネクタ接続されている状態以外では防塵・防滴構造となっている。また、後ケース２ｂの背面中央部には、該データロガー１のバッテリーが収容される窪み部があり、該バッテリー用窪み部に収容されたバッテリーは、スライド式のバッテリー用蓋２ｅで密閉されている。【００２４】
温湿度センサユニット３０は、縦２０ｍｍ、横５０ｍｍ、奥行き２０ｍｍの直方体形状であって、データロガー１を背面視した際、装着時には、温湿度センサユニット収容凹部２ｄにその下面，背面，右側面を覆われた状態で、温湿度センサユニット収容凹部２ｄの凹部を補うように、データロガー本体２０に収容されている。【００２５】
温湿度センサユニット３０内には、温度センサ３２、湿度センサ３３及びこれらの関連ＩＣを搭載する電子基板が内蔵されており、温度と湿度の変動が検出できる。また、右側面中央部には、データロガー本体２０の温湿度端子用コネクタ２８に接続しデータロガー本体２０へ温湿度データを送る温湿度データ出力用端子３１を備えている。【００２６】
温湿度センサユニット３０は、温度センサ３２、湿度センサ３３搭載の電子基板を内蔵し上方開口する下ケース３ｂと、その蓋部となる上ケース３ａとを、下ケース３ｂと上ケース３ａの接合部にＯリングを介在させた状態で、上ケース３ａ開口部から展出した係合爪を下ケース３ｂ開口部に設けた係合凹部に嵌合すると、ケース３ａ，３ｂが密着し、これにより温湿度センサユニット３０はＩＰ６５相当の防塵・防水機能を有する構造となっている。また、下ケース３ｂの右側方は開口しており、温湿度データ出力用端子３１は、下ケース３ｂの右側方端部で周方向を囲われ保護されつつ温湿度端子用コネクタ２８と接続可能となっている。また、上ケース３ａの上面左側方には、スライド時に指係りの良いスライド用爪３ｃが形成されるとともに、上ケース３ａの上面中央部には、後述する防水透湿性フィルタ３４のためのフィルタ用窓部３ｄが設けられている。【００２７】
温湿度センサユニット３０は、該ユニット３を右方向にスライドし、温湿度データ出力用端子３１を、温湿度端子用コネクタ２８に挿着することで、温湿度データ出力用端子３１の気密性が確保されるとともに、データロガー本体２０と外観一体化する装着状態となる。装着状態では、データロガー本体２０（温湿度センサユニット収容凹部２ｄ）に覆われる分、温湿度センサユニット３０は人や物と接触しづらく、物理的破損も生じにくい。また、覆われる分、温湿度センサユニット３０に水滴もかかりにくく、液体侵入による故障も生じにくい。【００２８】
一方、温湿度センサユニット３０を左方向にスライドし、温湿度データ出力用端子３１を温湿度端子用コネクタ２８から外し、端子３１・コネクタ２８間をケーブル接続した状態とすることで、温湿度センサユニット３０は、データロガー本体２０と離隔した他のエリアの温湿度環境を計測することができる脱離状態となる。【００２９】
また、温度センサ３２、湿度センサ３３及びこれらのためのＩＣを搭載する電子基板は、下ケース３ｂ内に水平に配設されており、湿度センサ３３の配置位置上には、防水透湿性素材のフィルタ３４がセンサ上ケース３ａの内側に貼り付けてあり、また下ケース３ｂの内側にも防水透湿性フィルタ３４が貼り付けてある。そして、該防水透湿性フィルタ３４部分のみが、上ケース３ａのフィルタ用窓部３ｄ及び下ケース３ｂのフィルタ用窓部３ｅを介して外部大気と接しており、その他の部分、即ち温度センサ３２、湿度センサ３３及びこれらの関連のＩＣを搭載する電子基板は、上ケース３ａと下ケース３ｂの嵌合部にパッキンを設けることで、湿度センサ３３の感湿体の水分吸収を阻害することないので、湿度センサを備えながらも、防塵・防水構造を取る温湿度センサユニット３０が提供される。【００３０】
また、種々ある環境センサの中で、湿度センサ３３は特に耐久性に乏しいが、データロガー１では、湿度センサ３３故障の際には温湿度センサユニット３０だけを交換すればよいので、メンテナンスが容易かつ安価である。【００３１】
データロガー本体２０全体は、その上面、下面、右側面周方向、左側面周方向、正面周方向、背面周方向を、厚さ約３ｍｍの粘弾性素材からなる一体成形体である本体保護カバー４で覆われている（図１〜３、図５太線表示）。本体保護カバー４の四隅位置は、上方／下方及び側方に台形状に延出しており、本体保護カバー４を着けることで、データロガー本体２０は自立可能となるとともに、１．５ｍからの本体落下でも壊れない耐衝撃性を備えるものとなる。本体保護カバー４の右側面部には、計量装置用コネクタ２３ａ、外部機器用コネクタ２３ｂ、ＵＳＢコネクタ２３ｃの各コネクタ位置に対して、本体保護カバー４右側面部後方側から前方側へ向かって、該カバー４と一体成形された防水キャップ部４ａ，４ｂ，４ｃが延出形成されている。各防水キャップ部４ａ，４ｂ，４ｃを開閉することで、外部機器用端子コネクタ群２３のうち必要なコネクタを開放し、他のコネクタは保護密閉（防塵・防滴）することができる。【００３２】
次に、データロガー１の使用例及び機能について説明する。【００３３】
データロガー１の使用例１を図６〜９を用いて説明する。使用例１は、計量装置１００として計量値の読み取り精度（最小表示）が０．１ｍｇ以下の分析天秤に対してデータロガー１を用い、温湿度センサユニット３０装着状態で使用する、本データロガー１の一般的な使用例である。なお、以下使用例における図面では、本体保護カバー４の記載を省略する。【００３４】
まず、計量現場において、対象とする計量装置１００の出力コネクタと、データロガー１の計量装置用コネクタ２３ａとを、ＲＳ２３２Ｃ用の端子ケーブルで接続して設置する。次に、計量装置１００で計量を開始すると、計量装置１００から発せられるコマンドをトリガーとして、計量装置１００で検出された、無負荷時の計量データであるゼロ点と負荷時の計量データである秤量値が、計量装置１００からデータロガー１に出力されるとともに、同時に、データロガー本体２０内の気圧センサ２４、加速度センサ２５及び温湿度センサユニット３０内の温度センサ３２、湿度センサ３３で検出された４種の環境データが、日時／時刻情報とともに、データメモリ２６で記憶される。データメモリ２６で記録された温度、湿度、気圧、加速度の環境データと秤量値の計量データは、即時にＣＰＵ２７に読み出され、時間を統一して相関させた形で、表示部２１に数値表示（図１）されるようデータ処理される。或いは、キイ操作部２２の操作により、横軸に時間軸、縦軸に全データの変動をとって相関させた経時変化グラフからなるフルトレンド表示とするも可能である（図７）。或いは、キイ操作部２２の操作により、全データの中からユーザが着目したいデータだけを、例えば温度と湿度のみピックアップした選択数値表示（図８）選択トレンド表示（図９）も行うことができる。なお、トレンド表示において、キイ操作部２２の操作により、ユーザは所望する時間幅に自動スケーリングが可能である。【００３５】
データロガー１では、こうしたデータ取得、データ一元管理、データ処理（数値表示、グラフ化）の計量現場にて要求される処理を、汎用ＰＣを使用せずとも、全て単一の機器で行うことができる。よって、各種のデータロガーを複数台併用し各データを他の機器にまとめる煩雑さが解消されるとともに、クリーンルーム等のＰＣ持込が禁止されたエリアや機密保持の為に汎用ＵＳＢメモリが持ち込めないエリアなど、従来、データ取得、データ一元管理、データ処理が困難であった計量現場でも、容易に適応することができる。【００３６】
次に、データロガー１の使用例２を図１０〜１５を用いて説明する。使用例２は、使用例１に加え、ＵＳＢコネクタ２３ｃに計量アナライザ４０が接続されている。【００３７】
計量アナライザ４０は、外部端子コネクタ（ＵＳＢコネクタ２３ｃ）を介してデータロガー１に接続可能、又は計量装置１００に直接接続可能であって、データロガー１又は計量装置１００から読み出したゼロ点、秤量値の計量データから、少なくともスパン値、及びスパン値の標準偏差又はゼロ点または秤量の標準偏差を演算し、時間を基本にして記録する計量データ演算記録手段４１と、データロガー１から読み出した設置環境データ（温度、湿度、気圧、加速度）及び計量データ演算記録手段４１で演算した演算計量データ（スパン値、各種標準偏差）を、全部或いは選択的に、自身の表示部４２の同一画面内に、時間軸を一致させて数値或いは経時変化グラフで表示するデータ処理手段４３と、前記設置環境データと前記計量データ及び前記演算計量データの相関関係を解析し表示するデータ解析手段４４とを、自身の構造内に備えることを特徴とする。【００３８】
なお、計量アナライザ４０は計量装置用コネクタ２３ａとＲＳ２３２Ｃ用の端子ケーブルで接続することも可能である。【００３９】
計量の現場では、取得した設置環境データと計量データ（秤量値）をリンクさせてグラフ化する他に、得られた計量データ（ゼロ点、秤量値）から、無負荷時の計量データであるゼロ点と負荷時の計量データである秤量との差であるスパン値、前記質量が既知の荷重を繰り返し複数回計量して求めた前記スパン値の標準偏差、前記ゼロ点または前記秤量を繰り返し計量して求めたゼロ点または前記秤量の標準偏差、などの計量装置の性能を把握できる指標を算出し、これらの演算計量データ（スパン値、各種標準偏差（繰り返し性））と設置環境データとを、一元管理、データ処理（数値表示、グラフ化）したり、相関解析したりする作業も行われる。【００４０】
計量アナライザ４０は、計量装置１００又はデータロガー１から取得した計量データ（ゼロ点、秤量値）と設置環境データとを、さらには自身で算出した演算計量データ（スパン値、各種標準偏差）と設置環境データとを、単一機器内で、一元管理、データ処理（数値表示、グラフ化）、データ解析（時間表示の無い相関解析）できる専用品である。【００４１】
計量データ演算記録手段４１で演算され記録された演算計量データは、即時にデータ処理手段４３で読み出した設置環境データとリンクされ、例として、図１１に示すように、横軸に時間軸、縦軸に温度（右軸）、スパン値（左軸）、ゼロ点（左軸）を選択して変動を相関させた経時変化グラフからなる選択トレンド表示や、図１２に示すように、横軸に時間軸、縦軸に湿度（右軸）、スパン値（左軸）、ゼロ点（左軸）を選択して変動を相関させた経時変化グラフからなる選択トレンド表示や、図１３に示すように、横軸に時間軸、温度（右軸）、スパン値標準偏差（左軸）を選択して変動を相関させた経時変化グラフからなる選択トレンド表示等が、表示部４２に自動スケーリングで表示される。【００４２】
そしてさらに、データ解析手段４４により、図１１に示されたデータから時間軸を無くし、図１４に示すように、横軸に温度、縦軸にゼロ点／スパン値を表示して、温度変化に対するゼロ点／スパン値の相関解析グラフや、図１２に示されたデータから時間軸を無くし、図１５に示すように、横軸に湿度、縦軸にゼロ点／スパン値を表示して、湿度変化に対するゼロ点／スパン値の相関解析グラフ等が、表示部４２に自動スケーリングで表示される。【００４３】
よって、クリーンルーム等の計量現場であっても、ＰＣを設置しなくとも、計量データの数値処理、演算計量データも含めた一元管理、グラフ化等が、リアルタイムでかつ容易に可能であるので、これらデータ処理の実現のために従来行われていたユーザの煩いは解消する。さらに、同時に計測された図１１，図１２から作成された図１４，図１５の相関解析グラフを見れば、ユーザはゼロ点変動が温度と湿度の変化に大きく影響を受けていることが一目で分かるとともに、どの程度の環境設定により求める計量精度が得られるかを、ユーザ自身で即時に判断することが可能となる。【００４４】
即ち、データロガー１に計量アナライザ４０を加えることで、データロガー１は単なる記録媒体としてだけではなく、積極的に環境を評価できるツールとなる。即ち、ユーザはデータロガー１で記録し、モニタリングしつつも、計量アナライザ４０によるデータ処理も並行して行うことで、例えば図１３のように、計量スタート時には平均３μｇ程度であったスパン値標準偏差が、次第に平均１４μｇに悪化したのを認識すれば、温度、湿度、気圧、振動のどのデータが最もスパン値標準偏差と連動しているかをトレンド表示から調べること等ができる。この結果、加速度データに連動が見られることが判れば、低気圧の通過に伴う建屋の振動が原因であったことが認識でき、計量装置１００に徐振台を設置する等、ユーザ自身で周囲環境を適格に整備できる。これにより、ユーザの計量装置１００への信頼はさらに高まる。【００４５】
次に、データロガー１の使用例３を図１６、図１７を用いて説明する。使用例３は、計量装置１００として主にマイクロピペットの吐出性能確認用となる容量テスターに用いられる分析天秤に対してデータロガー１を用い、温湿度センサユニット３０を脱離状態で使用する例である。【００４６】
データロガー１の計量装置用コネクタ２３ａには、ＲＳ２３２Ｃ用の端子ケーブルで計量アナライザ４０が接続され、計量アナライザ４０はＲＳ２３２Ｃ用の端子ケーブルで表示部１０２を介して直接計量装置１００へ接続されている。計量装置１００の上面には、計量部の上方位置に計量容器１０４が載せられており、計量容器１０４には、計量容器１０４内の試料の液体蒸発を防ぐための湿度保持容器１０３が計量部以外の位置で被せられている。【００４７】
そして、温湿度センサユニット３０は、データロガー本体２０から離脱され、ケーブルで延長された状態で、湿度保持容器１０３内へ導入されている。即ち、使用例３では、温湿度センサユニット３０はデータロガー本体２０とは離隔した位置にある湿度保持容器１０３内の温湿度環境を計測する機器として使用されている。これにより、試料の蒸発により高湿度となりうる湿度保持容器１０３内の温湿度環境がモニタリングでき、かつデータロガー１で計量データ（測定値）と一元管理され、使用例１と同様に、数値表示（図１６）或いはフルトレンド表示（図１７）される。【００４８】
また、データロガー１の外部機器用コネクタ２３ｂには、外付けの水温センサ２００が接続されている。外付け水温センサ２００は、マイクロピペットの校正時に水の密度補正をするために、試料となる水の水温計測のために設置されている。外付け水温センサ２００で検出された水温データは、使用例１と同様にデータメモリ２６に記憶され、ＣＰＵ２７で数値表示或いはフルトレンド表示が可能である（Ｔｅｍｐ２）。このように、データロガー１には外部機器用コネクタ２３ｂに他のセンサを外付けし、データロガー１の用途をユーザの仕様に合わせて拡張させることもできる。【００４９】
なお、データロガー１，計量アナライザ４０は、ＰＣを必要とせずともデータ一元管理、データ処理ができる専用品であることが特徴であるが、ＵＳＢコネクタ２３ｃを介してＰＣにデータ送信することもできるので、データ処理はＰＣで行う体制で使用されても良い。
【図面の簡単な説明】
【００５０】
【図１】データロガーの正面図
【図２】データロガーの右側面図
【図３】データロガーの平面図であって、温湿度センサユニット装着状態を示す図
【図４】温湿度センサユニットの正面図
【図５】データロガーの背面図であって、温湿度センサユニット脱離状態を示す図
【図６】データロガーの使用例１を示す概念図
【図７】データロガーのフルトレンド表示例
【図８】データロガーの選択数値表示例
【図９】データロガーの選択トレンド表示例
【図１０】データロガーの使用例２を示す概念図
【図１１】アナライザの選択トレンド表示例１
【図１２】アナライザの選択トレンド表示例２
【図１３】アナライザの選択トレンド表示例３
【図１４】アナライザの相関解析例１
【図１５】アナライザの相関解析例２
【図１６】データロガーの使用例３を示す概念図
【図１７】データロガーのフルトレンド表示例
【符号の説明】
【００５１】
１      データロガー
３ｄ、３ｅ    フィルタ用窓部
４      本体保護カバー
４ａ，４ｂ，４ｃ  防水キャップ部
２０    データロガー本体
２１    表示部
２３    外部機器用端子コネクタ群
２３ａ  計量装置用コネクタ
２３ｂ  外部機器用コネクタ
２３ｃ  ＵＳＢコネクタ
２４    気圧センサ
２５    加速度センサ
２６    データメモリ
２７    ＣＰＵ
２８    温湿度端子用コネクタ
３０    温湿度センサユニット
３１    温湿度データ出力用端子
３２    温度センサ
３３    湿度センサ
３４    防水透湿性フィルタ
４０    計量アナライザ
１００  計量装置
２００  外付け水温センサ
【図１】
2013065174.tif 000003
【図２】
2013065174.tif 000004
【図３】
2013065174.tif 000005
【図４】
2013065174.tif 000006
【図５】
2013065174.tif 000007
【図６】
2013065174.tif 000008
【図７】
2013065174.tif 000009
【図８】
2013065174.tif 000010
【図９】
2013065174.tif 000011
【図１０】
2013065174.tif 000012
【図１１】
2013065174.tif 000013
【図１２】
2013065174.tif 000014
【図１３】
2013065174.tif 000015
【図１４】
2013065174.tif 000016
【図１５】
2013065174.tif 000017
【図１６】
2013065174.tif 000018
【図１７】
2013065174.tif 000019
【手続補正書】
【提出日】平成26年3月27日(2014.3.27)
【手続補正１】
【補正対象書類名】図面
【補正対象項目名】図１１
【補正方法】変更
【補正の内容】
【図１１】
2013065174.tif 000020
【手続補正２】
【補正対象書類名】図面
【補正対象項目名】図１２
【補正方法】変更
【補正の内容】
【図１２】
2013065174.tif 000021
【手続補正３】
【補正対象書類名】図面
【補正対象項目名】図１３
【補正方法】変更
【補正の内容】
【図１３】
2013065174.tif 000022
【手続補正４】
【補正対象書類名】図面
【補正対象項目名】図１４
【補正方法】変更
【補正の内容】
【図１４】
2013065174.tif 000023
【手続補正５】
【補正対象書類名】図面
【補正対象項目名】図１５
【補正方法】変更
【補正の内容】
【図１５】
2013065174.tif 000024
【手続補正書】
【提出日】平成26年3月31日(2014.3.31)
【手続補正１】
【補正対象書類名】図面
【補正対象項目名】図１１
【補正方法】変更
【補正の内容】
【図１１】
2013065174.tif 000025
【手続補正２】
【補正対象書類名】図面
【補正対象項目名】図１２
【補正方法】変更
【補正の内容】
【図１２】
2013065174.tif 000026
【手続補正３】
【補正対象書類名】図面
【補正対象項目名】図１３
【補正方法】変更
【補正の内容】
【図１３】
2013065174.tif 000027
【手続補正４】
【補正対象書類名】図面
【補正対象項目名】図１４
【補正方法】変更
【補正の内容】
【図１４】
2013065174.tif 000028
【手続補正５】
【補正対象書類名】図面
【補正対象項目名】図１５
【補正方法】変更
【補正の内容】
【図１５】
2013065174.tif 000029
【国際調査報告】
2013065174.tif 000030
2013065174.tif 000031